(57)【要約】【課題】  ユーザにとって使い勝手の良い自動選局機能を備えたデジタル放送受信装置を提供する。【解決手段】  複数の選局モードで動作する自動選局機能部１１を備えており、この複数の選局モードとして、放送局のみをサーチする第１の選局モード（１１−１）と、さらに該放送局が提供するサービスＩＤまでも加えてサーチする第２の選局モード（１１−２）と、を含む。【選択図】      図１
2006074343.tif 000002
【特許請求の範囲】
【請求項１】
放送波をサーチする自動選局機能部を有する放送受信装置において、
前記自動選局機能部は、異なる複数の選局モードを設定可能であり、かつ、ユーザからのモード選択情報に応じて選択された選局モードにて自動選局を実行することを特徴とする放送受信装置。
【請求項２】
前記複数の選局モードは、第１の選局モードおよび第２の選局モードを含み、前記放送波がデジタル放送であるとき、該第１の選局モードは該デジタル放送の放送局のみをサーチする選局モードであり、該第２の選局モードは該デジタル放送の放送局に加えて該放送局が提供するサービスＩＤまでもサーチする選局モードであることを特徴とする請求項１に記載の放送受信装置。
【請求項３】
前記第１の選局モードにおいて、前記放送局の局名を順次表示すると共に、各該放送局が提供する複数のサービスＩＤのうち予め定めた代表サービスＩＤについてその放送番組も併せて表示することを特徴とする請求項２に記載の放送受信装置。
【請求項４】
前記第２の選局モードにおいて、前記放送局の局名を順次表示すると共に、順次表示された各該放送局毎に当該放送局が提供する複数のサービスＩＤを順次表示することを特徴とする請求項２に記載の放送受信装置。
【請求項５】
順次表示された前記放送局毎に、当該放送局が提供する最初のサービスＩＤの放送番組を併せて表示することを特徴とする請求項４に記載の放送受信装置。
【請求項６】
前記第２の選局モードにおいて、前記放送局の局名を順次表示し、順次表示された各該放送局毎に当該放送局が提供する複数のサービスＩＤを順次表示するときに、表示された各該サービスＩＤ毎の放送番組を併せて表示することを特徴とする請求項４に記載の放送受信装置。
【請求項７】
前記第１の選局モードおよび第２の選局モードのもとでサーチした選局情報を保存するオートプリセットメモリを備えることを特徴とする請求項２に記載の放送受信装置。
【請求項８】
前記複数の選局モードとして第３の選局モードを含み、該第３の選局モードでは、前記放送波がデジタル放送であるとき、該デジタル放送の複数の放送局のうち任意に選択された放送局のみをサーチして登録する処理と、当該放送局に加えて該放送局が提供する複数のサービスＩＤのうち任意に選択されたサービスＩＤまでもサーチして登録する処理とを実行することを特徴とする請求項２に記載の放送受信装置。
【請求項９】
前記第３の選局モードのもとでサーチして登録すべき選局情報を格納するオートプリセットメモリを備えることを特徴とする請求項８に記載の放送受信装置。
【請求項１０】
サーチした前記選局情報のうち、特定の条件のもとで選別された選局情報のみを前記オートプリセットメモリに入力することを特徴とする請求項７または９に記載の放送受信装置。
【発明の詳細な説明】
【技術分野】
【０００１】
本発明は、放送受信装置、特にデジタル放送受信装置に関し、さらに具体的には自動選局機能部を備えたデジタル放送受信装置に関する。
【背景技術】
【０００２】
上記の自動選局機能部は、周知のとおり、「サーチ」処理や「オートプリセット」処理を行う上で重要な機能を果たす。ここに「サーチ」処理は、例えばアップ／ダウンボタンの操作により現在地で受信可能な放送を次々と検索する処理であり、このサーチを繰り返すことによって、受信情報が良好でかつユーザに好みの放送を選択することができる。これが自動選局の１つの機能である。
【０００３】
自動選局のもう１つの機能は、上記の「オートプリセット」である。ここに「オートプリセット」処理は、上述したような現在地で受信可能な放送の検索とその記憶を行うことであり、さらには受信状態の良好な好みの放送から順次プリセットボタンに割り当てていく操作のことである。
【０００４】
上述した自動選局は、特に、現在地が次々と変わる例えば車載用放送受信装置にとっては必須の受信処理であり、車載用アナログ放送受信装置のほとんどには古くから常備されている。
【０００５】
一方、今後アナログ放送受信装置に代わって急速に普及するであろうデジタル放送受信装置にとっても、当然、上記自動選局機能部は必須の構成要素となる。本発明は、後述するとおり、ユーザにとって使い勝手の良い、デジタル放送受信装置用の自動選局機能を提供するものである。
【０００６】
なお、本発明に関連する公知文献としては、例えば下記の〔特許文献１〕〜〔特許文献５〕がある。
【０００７】
〔特許文献１〕は、受信可能でかつエラー率の低いアンサンブル（Ｔｒａｎｓｐｏｒｔ  Ｓｔｒｅａｍ）のサービスのみをプリセットボタンに割り当てる、というものであり、
〔特許文献２〕は、上記のプリセットボタンとして、例えば「サッカー」といったユーザに好みの検索条件（ジャンル）を指定するワンタッチ検索ボタンを備える、というものであり、
〔特許文献３〕は、指定されたジャンルが付加されているチャンネルを検索し、その検索結果からプリセットメモリに記憶されているチャンネルを除外した検索結果を表示するようにして、チャンネル選択の操作回数を減らす、というものである。
【０００８】
また〔特許文献４〕は、プリセットメモリへの登録情報として番組ＩＤを用いることにより、放送局側でチャンネル番号が変更になっても、同一のプリセットキーへの登録内容で同一の番組を受信することができる、というものであり、
〔特許文献５〕は、オートプリセット時に同期信号を検出した最適周波数を保存しておいて、チャンネル選局の際にはその保存した周波数情報をもとに素早く同期信号の検出を行えるようにする、というものである。
【０００９】
【特許文献１】特開２００２−２６７５５号公報
【特許文献２】特開２００３−１５３１０４号公報
【特許文献３】特開２００２−５１２７７号公報
【特許文献４】特開２００３−１０１４２５号公報
【特許文献５】特開２００１−３０９２５９号公報
【発明の開示】
【発明が解決しようとする課題】
【００１０】
上述した自動選局は、アナログ放送受信装置において古くから行われていてその実現手段も既に確立している。しかしこの確立した自動選局の実現手段をそのままデジタル放送受信装置に流用することはできない。これはアナログ放送受信装置における自動選局は、放送局を順次サーチしていき、受信可能であればその周波数をメモリに記憶しておく、といった比較的単純な機構であったからである。
【００１１】
ところがデジタル放送の場合は、従来のアナログ放送の場合と同様に映像や音声の情報を提供することに加えて、さらに詳細な番組情報も提供することができる。この番組情報には、例えば番組名、番組ジャンル、番組内容、番組提供時間等を含んでおり、ユーザは多チャンネルの中から好みの番組を選択して視聴することができる。
【００１２】
そうすると、デジタル放送受信装置の上記自動選局機能部としては、放送局のみを自動選局する機能のみならず、その放送局にさらにサービスＩＤ（上記の番組情報）までも付加した条件のもとで自動選局する機能までも備える必要がある。
【００１３】
ところが、上記のサービスＩＤを取得するに際しては、まず放送波の調査をした後に、デコード後のデータ解析をして、そのサービスＩＤの調査をする、といった工程を経なければならない。このため、放送局にサービスＩＤまでも付加した条件でサーチを行う場合には、放送局のみのサーチを行う場合に比べて、大幅にサーチ時間が長くなってしまう。
【００１４】
そうすると、サ−ビスＩＤまで特定する必要はないと考えるユーザにとっては、その長いサーチ時間を無駄に待たされることになり、使い勝手の悪い自動選局となってしまうと共に、ユーザにとって不快でもある、という問題がある。
【００１５】
したがって本発明は、上記問題点に鑑み、デジタル放送受信装置において使い勝手の良い自動選局機能部を実現することを目的とするものである。
【課題を解決するための手段】
【００１６】
図１は本発明に係るデジタル放送受信装置の基本構成図である。
【００１７】
本図に示す放送受信装置１は、アンテナ２より受信した放送波をサーチする自動選局機能部１１を有する放送受信装置であり、ここにおいて、該自動選局機能部１１は、異なる複数の選局モードを設定可能であり、かつ、ユーザからのモード選択情報ＭＳに応じて選択された選局モードにて自動選局を実行するものである。なお、自動選局機能部１１は実際にはマイコン１０のソフトウェア処理によって実現し得るものであるが、本発明においては、説明を分かりやすくするため、これを独立した一構成要素として表している。
【００１８】
上記の選局モードは、さらに具体的には、第１の選局モード１１−１および第２の選局モード１１−２を含み、上述の放送波がデジタル放送であるとき、第１の選局モード１１−１はこのデジタル放送の放送局のみをサーチする選局モードである。また第２の選局モード１１−２はそのデジタル放送の放送局に加えてこの放送局が提供するサービスＩＤまでもサーチする選局モードである。このように異なる種類の選局モード（１１−１，１１−２）を有することが本発明の基本的な特徴であり、その他の構成要素２，３，４，５…は周知のものである。これら周知の構成要素について簡単に説明すると次のとおりである。
【００１９】
前記のアンテナ２において受信した放送波はまずチューナ部３に入力され、ここでユーザによりまたは自動選局機能部１１により選択された放送波（キャリア）は次に復調部４に入力され、ここでデジタルデータに復調される。
【００２０】
かくして復調されたデジタルデータはＴＳ（Ｔｒａｎｓｐｏｒｔ  Ｓｔｒｅａｍ）デコーダ５に送られ、音声信号をなすデータおよび映像信号をなすデータ（必要ならばさらにＢｒｏａｄｃａｓｔ  Ｍａｒｋｕｐ  Ｌａｎｇｕａｇｅ（ＢＭＬ）文書を含むデータ）にそれぞれ分離される。ここに分離された音声データおよび映像データは、音声デコード部６および映像デコード部７にてそれぞれアナログ音声信号に変換されまた所定のフォーマットの映像信号に変換されて、音声用のスピーカ８および映像用のモニタ９に出力される。参照番号９′はその画面である。
【発明の効果】
【００２１】
放送受信装置１における自動選局機能部１１が、従前のアナログ放送受信装置の場合のように、受信可能な放送局だけを順次サーチするものであるとすると、デジタル放送受信装置の場合に折角詳細な番組情報（サービスＩＤ）まで提供されているにも拘らずこれを利用できないことになり、あるユーザにとっては不満を感じる。
【００２２】
一方、上記番組情報までも利用できる自動選局機能部を備えるデジタル放送受信装置においては、上記の詳細な番組情報（サービスＩＤ）まで利用できるものの、既述のとおり、１つ１つのサーチに長い待ち時間を伴うことになり、放送局名のサーチだけの迅速なサーチを望むようなあるユーザにとっては不満を感じる。
【００２３】
本発明は上述した前者の不満と後者の不満とを一挙に解消できるものである。すなわち、時間はかかっても詳細な番組情報までをサーチの対象とすることを要求するユーザに対しても、また、とにかく急いで放送局名だけをサーチの対象とすることを要求するユーザに対しても、どちらにも満足を与えることのできる自動選局を実現することができる。
【発明を実施するための最良の形態】
【００２４】
図２は第１の選局モードの一例を図解的に示す図である。本図において、９′は前述したモニタ９の画面であり、周波数のアップボタンの操作（Ｕ）またはダウンボタンの操作（Ｄ）により、受信可能な放送局の局名が順次表示される。
【００２５】
図３は第１の選局モードの一変形例を図解的に示す図である。この第１の選局モードの変形例においては、放送局の局名を順次表示すると共に、各放送局が提供する複数のサービスＩＤのうち予め定めた代表サービスＩＤについてその放送番組も併せて表示するようにする。
【００２６】
デジタル放送においては、同じ放送局内であっても、複数のサービスＩＤによって区別される複数の番組が存在する。上記の図２の場合では、かかる放送番組を一切画面９′に表示しないが、図３の場合にはいずれか１つの固定のサービスＩＤに係る放送番組を表示（ハッチンで表す）できるようにする。このようにすれば、当該放送局からの放送の受信品質等を知ることができる。
【００２７】
図４は第２の選局モードを説明するための図である。本図の例によれば、３つの放送局Ａ，ＢおよびＣによってデジタル放送が送信されており、また、これらの放送局Ａ，ＢおよびＣはそれぞれ３つのサービスＩＤに係る放送を送信している。
【００２８】
図５は図４の放送形態のもとでの第２の選局モードを模式的に表す図である。すなわち、この第２の選局モードにおいては、放送局の局名を順次表示すると共に、順次表示された各放送局毎に当該放送局が提供する複数のサービスＩＤを順次表示する。
【００２９】
この場合、図３で説明したのと同様、順次表示された放送局毎に、当該放送局が提供する最初のサービスＩＤの放送番組を併せて表示するようにしても良い。
【００３０】
図６は第２の選局モードの一例を図解的に示す図である。本図の例に示す第２の選局モードにおいては、放送局の局名（Ａ，Ｂ，Ｃ…）を順次表示し、順次表示された各放送局毎に当該放送局が提供する複数のサービスＩＤ（１，２，３…）を順次表示するときに、表示された各サービスＩＤ（ドットｄを付して示す）毎の放送番組を併せて表示（ハッチングで表す）する。
【００３１】
上述した第１の選局モードおよび第２の選局モードを実現するに際し必要とされる構成要素について以下に説明する。
【００３２】
図７は図１の自動選局機能部に付加された識別手段等を示す図である。本図における２１がその識別手段であり、自動選局機能部１１はこの識別手段２１により、ユーザからのモード選択情報ＭＳを受信して第１の選局モード（１１−１）または第２の選局モード（１１−２）のいずれが選択されたかを識別する。
【００３３】
具体的には識別手段２１は、モード選択情報ＭＳとしてユーザから入力された、長／短押し、１回／２回押し、第１／第２モード指定等の入力パターンを識別する。
【００３４】
この場合ユーザからのモード選択情報ＭＳを識別手段２１に入力するためのメカニカルスイッチ２２または画面９′上のＧＵＩスイッチ２３を有する。
【００３５】
あるいはユーザからのモード選択情報ＭＳを識別手段２１に遠隔入力するためのリモコン送信機２４と連携することもできる。
【００３６】
またユーザからのモード選択情報ＭＳを識別手段２１に音声入力するための音声認識手段２５を備えることもできる。
【００３７】
上述した本発明の諸動作をフローチャートで表すと次のようになる。
【００３８】
図８は図７における基本動作を表すフローチャートである。本フローチャートにおいて、
ステップＳ１１：ユーザにより自動選局モードに入るべき指示が入力される。
【００３９】
ステップＳ１２：放送局のみを選局するモード（第１の選局モード）か否か（第２の選局モード）を判断する。
【００４０】
ステップＳ１３：ステップＳ１２のＹＥＳに応じて、放送局のみをサーチする。または
ステップＳ１４：ステップＳ１２のＮＯに応じて、サービスＩＤまでをサーチする。
【００４１】
図９は図７における第１の入力パターンに基づくフローチャートであり、
図１０は図７における第２の入力パターンに基づくフローチャートであり、
図１１は図７における第３の入力パターンに基づくフローチャートである。
【００４２】
前述のように、識別手段２１は、モード選択情報ＭＳとしてユーザから入力された、長／短押し、１回／２回押し、および第１／第２モード指定といった種々の入力パターンから、選局モードの識別を行うものであり、これらの動作を図９、図１０および図１１にそれぞれフローチャートとして示す。
【００４３】
まず図９を参照すると、
ステップＳ２１：図７の画面９′上のＧＵＩスイッチ（自動選局用入力装置）２３（あるいは同等のメカニカルスイッチ２２）を短押ししたか否か（長押し）を判断する。
【００４４】
ステップＳ２２：ステップＳ２１のＹＥＳ（短押し）に応じて、放送局のみをサーチする。または
ステップＳ２３：ステップＳ２１のＮＯ（長押し）に応じて、サービスＩＤまでをサーチする。
【００４５】
次に図１０を参照すると、
ステップＳ３１：図７の画面９′上のＧＵＩスイッチ（自動選局用入力装置）２３（あるいは同等のメカニカルスイッチ２２）を何回短押ししたかを判断する。
【００４６】
ステップＳ３２：ステップＳ３１の１回の短押しに応じて、放送局のみをサーチする。または
ステップＳ３３：ステップＳ３１の２回の短押しに応じて、サービスＩＤまでをサーチする。
【００４７】
また図１１を参照すると、
ステップＳ４１：図７の画面９′上のＧＵＩスイッチ（「放送局サーチ」用の入力装置）２３（あるいは同等のメカニカルスイッチ２２）を押下したか（第１モード指定）否か（第２モード指定）を判断する。
【００４８】
ステップＳ４２：ステップＳ４１のＹＥＳ（第１モード指定）に応じて、放送局のみをサーチする。または
ステップＳ４３：ステップＳ４１のＮＯ（第２モード指定）に応じて、サービスＩＤまでをサーチする。
【００４９】
以上述べた「サーチ」処理をもとにして本発明に固有の「オートプリセット」処理を行うことができる。このために、第１の選局モード（１１−１）および第２の選局モード（１１−２）のもとでサーチした選局情報（放送局およびサービスＩＤ等）を保存するメモリ（ＨＤＤや不揮発性メモリ）を備える。これを図１において「オートプリセット」メモリ３１として示す。
【００５０】
このオートプリセットメモリ３１を利用しながら本発明に基づく第３の選局モードを実行することもできる。この第３の選局モードは、既述した第１の選局モードと第２の選局モードとの組合せである。図５に示す第２の選局モードは、受信可能な全ての放送局と、各該放送局が提供する全てのサービスＩＤとを順次サーチするものであるが、このようにすると、ユーザにとって不要な放送局やユーザにとって好みでないサービスＩＤまで全て保存することになり非効率である。
【００５１】
そこで、必要な放送局がサーチされたときはこれを即座にオートプリセットメモリ３１に保存していき、ユーザが好むサービスＩＤがサーチされたときはこれを即座にオートプリセットメモリ３１に保存していくようにする。
【００５２】
要約すると、既述の複数の選局モードとして第３の選局モードを含み、この第３の選局モードは、放送波がデジタル放送であるとき、このデジタル放送の複数の放送局のうち任意に選択された放送局のみをサーチして登録する処理と、当該放送局に加えてその放送局が提供する複数のサービスＩＤのうち任意に選択されたサービスＩＤまでもサーチして登録する処理とからなる。オートプリセットメモリ３１には、この第３の選局モードのもとでサーチして登録すべき選局情報を格納する。
【００５３】
以上の第１、第２および第３の選局モードの各々においてサーチした選局情報のうち、特定の条件のもとで選別された選局情報のみをそのオートプリセットメモリ３１に入力することが望ましい。この特定の条件の第１は「受信時のエラー率」である。このエラー率（ＢＥＲ）を受信装置１において監視し、エラー率が低い周波数から順に上記選局情報を並び替えて、オートプリセットメモリ３１に格納する。これによりユーザに常に高品質の放送番組を提供することができる。
【００５４】
また上記特定の条件の第２は「全国で共通して放送される周波数」を優先してサーチすることである。これにより、どこにいても受信可能な放送番組を短時間で捕捉することができる。
【００５５】
上記特定の条件の第３は「現在地でしか放送されていない周波数」を選別してサーチすることである。これにより、当該地における放送番組を短時間で捕捉することができる。
【産業上の利用可能性】
【００５６】
デジタル放送受信装置において、多様なオートプリセットを実現する上で有益な手段となる。
【図面の簡単な説明】
【００５７】
【図１】本発明に係る放送受信装置の基本構成図である。
【図２】第１の選局モードの一例を図解的に示す図である。
【図３】第１の選局モードの一変形例を図解的に示す図である。
【図４】第２の選局モードを説明するための図である。
【図５】図４の放送システムのもとでの第２の選局モードを模式的に表す図である。
【図６】第２の選局モードの一例を図解的に示す図である。
【図７】図１の自動選局機能部に付加された識別手段等を示す図である。
【図８】図７における基本動作を表すフローチャートである。
【図９】図７における第１の入力パターンに基づくフローチャートである。
【図１０】図７における第２の入力パターンに基づくフローチャートである。
【図１１】図７における第３の入力パターンに基づくフローチャートである。
【符号の説明】
【００５８】
１    放送受信装置
２    アンテナ
３    チューナ部
４    復調部
５    ＴＳデコーダ
６    音声デコード部
７    映像デコード部
９    モニタ
９′    画面
１０    マイコン
１１    自動選局機能部
１１−１    第１の選局モード
１１−２    第２の選局モード
２１    識別手段
２２    メカニカルスイッチ
２３    ＧＵＩスイッチ
２４    リモコン送信機
２５    音声認識手段
３１    オートプリセットメモリ
ＭＳ    モード選択情報
【図１】
2006074343.tif 000003
【図２】
2006074343.tif 000004
【図３】
2006074343.tif 000005
【図４】
2006074343.tif 000006
【図５】
2006074343.tif 000007
【図６】
2006074343.tif 000008
【図７】
2006074343.tif 000009
【図８】
2006074343.tif 000010
【図９】
2006074343.tif 000011
【図１０】
2006074343.tif 000012
【図１１】
2006074343.tif 000013